(57)【要約】      （修正有）【課題】クローズ時における衝撃や騒音が解消又は低減できる壁面収納ベッドを提供すること。【解決手段】未使用時にクローズ状態として、壁面側に収納可能であるとともに、使用時にオープン状態として、壁面に対して略垂直になるように、マットレスおよび／または布団を収容するためのベッド本体部Ａが表出する壁面収納ベッドであって、ベッド本体部Ａと、側板Ｂと、回転軸として軸部Ｃと、衝撃吸収手段Ｄとを有し、クローズ状態において、ベッド本体部Ａと衝撃吸収手段Ｄとが接触してクローズ時の衝撃を低減および吸収する。【選択図】図２
0003225718.tif 000002
【実用新案登録請求の範囲】
【請求項１】
未使用時にクローズ状態として、壁面側に収納可能であるとともに、使用時にオープン状態として、壁面に対して略垂直になるように、マットレスおよび／または布団を収容するためのベッド本体部（Ａ）が表出する壁面収納ベッドであって、
前記ベッド本体部（Ａ）と、
壁面に対してほぼ垂直に設置され、かつオープン状態におけるベッド本体部（Ａ）の壁側部分の近傍に位置する側板（Ｂ）と、
当該側板（Ｂ）に保持され、かつ前記ベッド本体部（Ａ）と前記側板（Ｂ）とを結合する軸部であって、クローズ状態におけるベッド本体部（Ａ）の壁側近位部分が床近位に位置し、かつベッド本体部（Ａ）の壁側遠位部分が天井近位に位置するように、回転軸として、オープン状態のベッド本体部（Ａ）を壁側に略９０度回転させて収納できるようにするための軸部（Ｃ）と、
当該側板（B)において保持された衝撃吸収手段（Ｄ）とを有し、
クローズ状態において、前記ベッド本体部（Ａ）と前記衝撃吸収手段（Ｄ）とが接触してクローズ時の衝撃を低減および吸収することを特徴とする壁面収納ベッド。
【請求項２】
前記衝撃吸収手段（Ｄ）が、バネ、ゴム、ステイ、エアダンパーおよびオイルダンパーからなる群から選択される少なくとも１つである、請求項１に記載の壁面収納ベッド。
【請求項３】
前記衝撃吸収手段（Ｄ）の他に、更に、側板（Ｂ）および／またはベッド本体部（Ａ）に、クローズ時の衝撃を低減・吸収するための衝撃吸収手段（Ｄ´）とを備えることを特徴とする、請求項１または２に記載の壁面収納ベッド。
【請求項４】
前記側板（Ｂ）に、ベッド本体部（Ａ）の開閉を容易にするための開閉補助手段（Ｅ）を有することを特徴とする、請求項１〜３の何れか１つに記載の壁面収納ベッド。
【考案の詳細な説明】
【技術分野】
【０００１】
本考案は、衝撃吸収・低減構造を備えた、新規の壁面収納ベッドに関する。
【背景技術】
【０００２】
一般に、ベッドは、使用時および未使用時の区別なく、同じ形態で各部屋に設置されている。そのため、住宅や宿泊施設の部屋面積の制約から、占有面積が大きいベッドの省スペース化の要請は古くからある。このような要請に応えるべく、様々な壁面収納ベッドが開発されている。
【０００３】
ここで、「壁面収納ベッド」とは、スペースセイビングベッド等の名称で呼ばれることもあるが、使用時（オープン時（すなわち、使用者（居住者等）が睡眠や仮眠等のためにベッドに横たわる時））には、通常マットレスや布団が敷かれているベッドが表出している状態（オープン状態）であるのに対して、未使用時（クローズ時）には、手動又は電動などにより当該ベッド本体の壁遠位の部分（辺、隅）が上方に（天井近位に）、かつ壁近位の部分が下方（床近位）に位置するように、ベッド本体部が壁側に閉じられる状態（クローズ状態）となる。このように、使用者が任意に、オープン状態またはクローズ状態とすることで、限られた室内空間を有効に活用できるものである。
【０００４】
たとえば、壁面収納ベッドとして、特許文献１に開示されている。この特許文献１に開示された壁面収納ベッドは、「壁面にベッドを収納するベッド収納用凹部が設けられ、前記ベッド収納用凹部の底部に設けられた台座に前記ベッドのベッド本体フレームの一端が回転自在に軸支され、前記台座に設けられた支柱に一端が回転自在に軸止され、他端が前記ベッド本体フレームに軸支される電動アクチュエータからなる」ことを特徴とする（「特許請求の範囲」）。
【先行技術文献】
【特許文献】
【０００５】
【特許文献１】特開２００４−８１３１８号公報
【考案の概要】
【考案が解決しようとする課題】
【０００６】
しかしながら、従来の壁面収納ベッドには、クローズ時にベッド本体自体が壁面に衝突したり、あるいは壁面には直接接触しないものの、クローズ時の衝撃が壁面に伝達したりする。
【０００７】
このため、隣部屋に当該衝撃が伝わるといった騒音問題が顕在化している。この問題は、特に、集合住宅（マンション、アパートなど）や宿泊施設（ホテル、旅館）などで顕著なものとなっている。
【０００８】
本考案者は、ショックアブソーバなどの衝撃吸収手段の設置位置などを鋭意討した結果、衝撃吸収手段を特定の位置に設置することで、クローズ時における衝撃や騒音を解消乃至は優位に低減できることを見出した。
【０００９】
そこで、本考案は、クローズ時における騒音問題が解消乃至は低減された壁面収納ベッドを提供することを目的とする。
【課題を解決するための手段】
【００１０】
上記課題を解決する手段（技術内容）は以下のとおりである。
［１］未使用時にクローズ状態として、壁面側に収納可能であるとともに、使用時にオープン状態として、壁面に対して略垂直になるように、マットレスおよび／または布団を収容するためのベッド本体部（Ａ）が表出する壁面収納ベッドであって、
前記ベッド本体部（Ａ）と、
壁面に対してほぼ垂直に設置され、かつオープン状態におけるベッド本体部（Ａ）の壁側部分の近傍に位置する側板（Ｂ）と、
当該側板（Ｂ）に保持され、かつ前記ベッド本体部（Ａ）と前記側板（Ｂ）とを結合する軸部であって、クローズ状態におけるベッド本体部（Ａ）の壁側近位部分が床近位に位置し、かつベッド本体部（Ａ）の壁側遠位部分が天井近位に位置するように、回転軸として、オープン状態のベッド本体部（Ａ）を壁側に略９０度回転させて収納できるようにするための軸部（Ｃ）と、
当該側板（B)において保持された衝撃吸収手段（Ｄ）とを有し、
クローズ状態において、前記ベッド本体部（Ａ）と前記衝撃吸収手段（Ｄ）とが接触してクローズ時の衝撃を低減および吸収することを特徴とする壁面収納ベッド。
【００１１】
［２］  前記衝撃吸収手段（Ｄ）の衝撃吸収部が、バネ、ゴム、ステイ、エアダンパーおよびオイルダンパーからなる群から選択される少なくとも１つである、［１］の壁面収納ベッド。
【００１２】
［３］  前記衝撃吸収手段（Ｄ）の他に、更に、前記側板（Ｂ）および／またはベッド本体部（Ａ）に、クローズ時の衝撃を低減・吸収するための衝撃吸収手段（Ｄ´）とを備えることを特徴とする、［１］または［２］の壁面収納ベッド。
【００１３】
［４］  前記側板（Ｂ）に、ベッド本体部（Ａ）の開閉を容易にするための開閉補助手段（Ｅ）を有することを特徴とする、［１］〜［３］の何れかの壁面収納ベッド。
【考案の効果】
【００１４】
本考案に係る壁面収納ベッドによれば、クローズ時における衝撃（騒音問題）が解消乃至は低減でき、特に、集合住宅（マンション、アパートなど）や宿泊施設（ホテル、旅館）において、隣部屋に上記衝撃が伝わるといった騒音問題を有意に解消することができる。
【図面の簡単な説明】
【００１５】
【図１】図１は、未使用時（クローズ状態）のおける、本考案に係る壁面収納ベッドの一態様を示すための側面図である。なお、図面中の数字は、長さを示し、単位はｍｍである。
【００１６】
【図２】図１は、使用時（オープン状態）のおける、本考案に係る壁面収納ベッドの一態様を示すための側面図である。なお、図面中の数字は、長さを示し、単位はｍｍである。
【００１７】
【図３】図３は、使用時（オープン状態）のおける、本考案に係る壁面収納ベッドの一態様を示すための上面図である。
【考案を実施するための形態】
【００１８】
以下、適宜図面を参照しながら、本件考案について詳細に説明する。なお、図面中の数字は、長さを示し、単位はｍｍであるが、本考案に係る壁面収納ベッドは図中の寸法に限定されるものではない。
【００１９】
図１および図２に示されるように、本考案に係る壁面収納ベッドは、未使用時にクローズ状態として、壁面側に収納可能であるとともに、使用時にオープン状態として、壁面に対して略垂直になるように（すなわち、床面に対して略水平になるように）ベッド本体部（Ａ）（すなわち、ベッド本体部（Ａ）において、使用者が横たわる部位側）が表出する。図１は、未使用時における（クローズ状態の）壁面収納ベッドを示し、後述するように、ベッド本体部（Ａ）は、軸部（Ｃ）を回転軸として収納できるが、この時、ベッド本体部（Ａ）は壁側に向かって略９０度（たとえば、60〜120度）回転させられて収納されることになる。このようにクローズ状態の場合、クローズ状態におけるベッド本体部（Ａ）の壁側近位部分が床近位側（天井遠位側）に位置し、かつベッド本体部（Ａ）の壁側遠位部分が天井近位側（床遠位側）に位置するようになっている。
【００２０】
更に、クローズ状態では、図１の付番Ｄに示されるように、側板（Ｂ）に保持された衝撃吸収手段（Ｄ）が、ベッド本体部（Ａ）と接触するようになっている。従来の壁面収納ベッドと比較して、衝撃吸収手段（Ｄ）が側板（B)に保持され、かつベッド本体部（Ａ）と接触するように構成されていることによって、クローズ時の衝撃を優位に低減・吸収できる。なお、適宜、トルク式ヒンジ、クッション部材、収縮式ロープ、樹脂製チェーンなども使用できる。
【００２１】
また、側板（Ｂ）は、図１〜３に示されるように、壁面に対してほぼ垂直に設置され、かつオープン状態におけるベッド本体部（Ａ）の壁側部分の近傍に位置する。
【００２２】
図２は、オープン状態の（使用時における）壁面収納ベッドを示す。この状態は、クローズ状態のベッド本体（Ａ）（図１）を、軸部（Ｃ）を回転軸として、床側に略９０度回転させたものである。そして、図１に示すように壁面収納ベッドが壁に近接している状態（クローズ状態）から図２に示すようにベッド本体（Ａ）が壁に対して略垂直（すなわち、床面に対して略水平）になる。
【００２３】
また、軸部（Ｃ）は、図３に示されるように、側板（Ｂ）に保持されて、ベッド本体部（Ａ）と側板（Ｂ）とを結合しつつ、上述のように、回転軸として機能する。
【００２４】
また、衝撃吸収手段（Ｄ）は、図１〜３に例示されるように、側板（Ｂ）に保持され、クローズ状態時において、ベッド本体部（Ａ）と衝撃吸収手段（Ｄ）とが接触してクローズ時の衝撃を低減や吸収できる限り、特に限定されるものではない。衝撃吸収手段（Ｄ）としては、たとえば、バネ、ゴム、ステー、エアダンパー、オイルダンパーが挙げられ、これらのうち単独で使用してもよいし、複数組み合わせて使用してもよい。この中でも、エアダンパー又はオイルダンパーがより好ましい。
【００２５】
また、図２の壁面収納ベッドは、付番Ｄ´で示されるように、側板（Ｂ）とベッド本体部（Ａ）とに、衝撃吸収手段（Ｄ）とは別に衝撃吸収手段として、コイルバネを備えている。このように、衝撃吸収手段（Ｄ）とは別に、更に、側板（Ｂ）および／またはベッド本体部（Ａ）に、クローズ時の衝撃を低減・吸収するための衝撃吸収手段（Ｄ´）とを備えていることが好ましい。このように構成することで、クローズ時の衝撃を一層低減・吸収することができる。なお、適宜、ステー、トルク式ヒンジ、クッション部材、収縮式ロープ、樹脂製チェーンなども使用できる。
【００２６】
また、壁面収納ベッドのベッド本体部（Ａ）を上方向（天井方向）に略９０度回転させて、クローズ状態にする際、ベッド本体部（Ａ）の重量や大きさにもよるが、当該回転作業が困難になる場合もある。このような課題に対して、たとえば、図２の付番Ｅに示されるように、たとえば、ガス式スプリング（ガスダンパー）など、ベッド本体部（Ａ）の開閉を容易にするための開閉補助手段（Ｅ）を備えていることが好ましい。
【００２７】
開閉補助手段（Ｅ）としては、上記のようにガススプリング（ガスダンパー）であってもよいし、バネ、ゴム、オイルダンパー、ステー、トルク式ヒンジ、クッション部材、収縮式ロープ、樹脂製チェーンなどが挙げられる。これらを単独で使用してもよいし、複数組み合わせて使用してもよい。
【００２８】
なお、上述したように、衝撃吸収手段（Ｄ）、衝撃吸収手段（Ｄ´）、開閉補助手段（Ｅ）を、たとえば、座金、ワッシャーなどを介してねじ止めするなど、公知の結合手法によって、側板（Ｂ）やベッド本体部（Ａ）等に結合される。
【００２９】
また、図３に示されるように、側板（Ｂ）は、通常、壁Ｗに、座金などを介して結合している。結合方法として、大きめの座金と適宜接着剤を使用して、ねじ止めすることが好ましい。壁材は通常石膏ボードなどの、ネジが抜けやすい材質からなるものであるが、このような結合方法によると強固に壁面収納ベッドを固定することができる。
【００３０】
なお、通常の壁面収納ベッドで使用される公知部材（たとえば、マットレス等）を備えていてもよい。
【産業上の利用可能性】
【００３１】
本考案によれば、クローズ時における騒音問題が解消乃至は低減された壁面収納ベッドを提供することができる。特に、集合住宅（マンション、アパートなど）や宿泊施設（ホテル、旅館）などで顕著なものとなっている騒音問題の一例を解消する点で、有用なものである。
【符号の説明】
【００３２】
Ａ：ベッド本体部（Ａ）
Ｂ：側板（Ｂ）
Ｃ：軸部（Ｃ）
Ｄ：衝撃吸収手段（Ｄ）
Ｄ´：衝撃吸収手段（Ｄ´）
Ｅ：開閉補助手段（Ｅ）
Ｗ：壁
【図１】
0003225718.tif 000003
【図２】
0003225718.tif 000004
【図３】
0003225718.tif 000005